(57)【要約】【課題】記憶する情報量を抑制しつつ、利用者に違和感を与えにくいように発光素子の輝度を制御することができる輝度制御装置及び輝度制御方法を提供すること。【解決手段】ＣＰＵ２１が、基準デューティ比Ｄｎ＋１から基準デューティ比Ｄｎを減じた値を補間分割数Ｎｄで除して補間変化幅Ｄｎ’を算出し、補間期間ΔＴが経過する毎に基準デューティ比に補間変化幅Ｄｎ’を積算していくことにより、ＬＥＤ４の輝度の変化幅を小さくして利用者に違和感を与えにくくするとともに、記憶する情報量を抑制することができる。【選択図】図４
2016126868.tif 000002
【特許請求の範囲】
【請求項１】
発光部材を駆動するパルス電流又はパルス電圧のデューティ比を、輝度遷移期間を等分割した複数の単位期間のそれぞれで変化させることで該発光部材の輝度を制御する輝度制御装置であって、
前記複数の単位期間のそれぞれにおける基準デューティ比を記憶するデューティ比記憶手段と、
補間分割数を記憶する分割数記憶手段と、
前記複数の単位期間のうち一の単位期間における前記基準デューティ比をその次の単位期間における前記基準デューティ比から減じた値を前記補間分割数で除して当該一の単位期間における補間変化幅を算出する算出手段と、
前記複数の単位期間のそれぞれにおいて、前記単位期間を前記補間分割数でさらに等分割した補間期間が経過する毎に当該単位期間の前記基準デューティ比に前記補間変化幅を積算していく積算手段と、
前記積算手段によって求めたデューティ比で前記発光部材を発光させる制御手段と、を備えることを特徴とする輝度制御装置。
【請求項２】
前記複数の単位期間のそれぞれにおける前記基準デューティ比が、段階的に増加又は減少していくように設定されていることを特徴とする請求項１に記載の輝度制御装置。
【請求項３】
前記複数の単位期間のうち一の単位期間における前記基準デューティ比とその次の単位期間における前記基準デューティ比との差分が、当該一の単位期間の前記基準デューティ比が小さいほど小さくなるように設定されていることを特徴とする請求項２に記載の輝度制御装置。
【請求項４】
前記発光部材が、互いに異なる発光色を有する複数の発光素子を備え、
前記デューティ比記憶手段が、前記発光色毎に前記基準デューティ比を記憶し、
前記算出手段が、前記発光色毎に前記補間変化幅を算出し、
前記積算手段が、前記発光色毎に前記基準デューティ比に前記補間変化幅を積算し、
前記制御手段が、前記積算手段によって求めた前記発光色毎のデューティ比で前記発光素子を発光させることを特徴とする請求項１〜３のいずれか１項に記載の輝度制御装置。
【請求項５】
発光部材を駆動するパルス電流又はパルス電圧のデューティ比を、輝度遷移期間を等分割した複数の単位期間のそれぞれで変化させることで該発光部材の輝度を制御する輝度制御方法であって、
前記複数の単位期間のそれぞれにおける基準デューティ比と、補間分割数と、を記憶し、
前記複数の単位期間のうち一の単位期間における基準デューティ比をその次の単位期間における基準デューティ比から減じた値を前記補間分割数で除して当該一の単位期間における補間変化幅を算出し、
前記複数の単位期間のそれぞれにおいて、前記単位期間を前記補間分割数でさらに分割した補間期間が経過する毎に当該単位期間の前記基準デューティ比に前記補間変化幅を積算していくとともに、このデューティ比で前記発光部材を発光させることを特徴とする輝度制御方法。
【発明の詳細な説明】
【技術分野】
【０００１】
本発明は、発光部材の輝度を制御する輝度制御装置及び輝度制御方法に関する。
【背景技術】
【０００２】
一般に、ＬＥＤ素子や有機ＥＬ素子等の発光素子は、フェードイン処理又はフェードアウト処理によって徐々に輝度が変化するように制御されることがある。パルス幅変調制御によって発光素子の輝度を制御する場合、発光素子を駆動するパルス電流又はパルス電圧のデューティ比を輝度遷移期間内における複数の単位期間のそれぞれで変化させる。このとき、隣り合う単位期間における基準デューティ比の差分（変化幅）が大きいと、輝度の不連続な変化が利用者に視認されやすくなり、違和感を与えてしまう可能性がある。一方、基準デューティ比の変化幅を小さくしようとすると、輝度遷移期間を多くの単位期間に分割する必要があるとともに、単位期間毎に基準デューティ比を記憶しなければならず、記憶する情報量が大きくなってしまう。
【０００３】
そこで、隣り合う単位期間における基準デューティ比の差分である所定輝度変化幅よりも微細な単位輝度変化幅を、単位期間よりも短い期間が経過する毎に基準デューティ比に積算していく輝度制御装置が開示されている（例えば、特許文献１参照）。このような輝度制御装置では、発光素子の輝度の変化幅を小さくすることにより、利用者に与える違和感の軽減を図っている。また、それぞれの単位期間における基準デューティ比と単位輝度変化幅とを記憶すればよく、情報量の増大を抑制している。
【先行技術文献】
【特許文献】
【０００４】
【特許文献１】特開２００３−２５７６９４号公報
【発明の概要】
【発明が解決しようとする課題】
【０００５】
ところで、発光素子の輝度が段階的に変化する際、輝度の変化率が大きいほど利用者に違和感を与えやすくなる。従って、輝度の変化率を一定にする、即ち、低輝度の単位期間同士の間において、高輝度の単位期間同士の間よりも基準デューティ比の差分を小さく設定することが好ましい。しかしながら、特許文献１に記載の輝度制御装置では、所定輝度変化幅および単位輝度変化幅が一定であり、低輝度の単位期間において高輝度の単位期間よりも輝度の変化率が大きくなってしまい、違和感を充分に抑制できないことがある。そこで、低輝度の単位期間における輝度の変化幅を小さくするために、低輝度の単位期間ほど単位輝度変化幅を小さくしようとすると、それぞれの単位期間において単位輝度変化幅を個別に設定して記憶しなければならず、情報量が大きくなってしまう。
【０００６】
本発明の目的は、記憶する情報量を抑制しつつ、利用者に違和感を与えにくいように発光素子の輝度を制御することができる輝度制御装置及び輝度制御方法を提供することにある。
【課題を解決するための手段】
【０００７】
前記課題を解決し目的を達成するために、請求項１に記載された発明は、発光部材を駆動するパルス電流又はパルス電圧のデューティ比を、輝度遷移期間を等分割した複数の単位期間のそれぞれで変化させることで該発光部材の輝度を制御する輝度制御装置であって、前記複数の単位期間のそれぞれにおける基準デューティ比を記憶するデューティ比記憶手段と、補間分割数を記憶する分割数記憶手段と、前記複数の単位期間のうち一の単位期間における前記基準デューティ比をその次の単位期間における前記基準デューティ比から減じた値を前記補間分割数で除して当該一の単位期間における補間変化幅を算出する算出手段と、前記複数の単位期間のそれぞれにおいて、前記単位期間を前記補間分割数でさらに等分割した補間期間が経過する毎に当該単位期間の前記基準デューティ比に前記補間変化幅を積算していく積算手段と、前記積算手段によって求めたデューティ比で前記発光部材を発光させる制御手段と、を備えることを特徴とする輝度制御装置である。
【０００８】
請求項２に記載された発明は、請求項１に記載の発明において、前記複数の単位期間のそれぞれにおける前記基準デューティ比が、段階的に増加又は減少していくように設定されていることを特徴とするものである。
【０００９】
請求項３に記載された発明は、請求項２に記載の発明において、前記複数の単位期間のうち一の単位期間における前記基準デューティ比とその次の単位期間における前記基準デューティ比との差分が、当該一の単位期間の前記基準デューティ比が小さいほど小さくなるように設定されていることを特徴とするものである。
【００１０】
請求項４に記載された発明は、請求項１〜３のいずれか１項に記載の発明において、前記発光部材が、互いに異なる発光色を有する複数の発光素子を備え、前記デューティ比記憶手段が、前記発光色毎に前記基準デューティ比を記憶し、前記算出手段が、前記発光色毎に前記補間変化幅を算出し、前記積算手段が、前記発光色毎に前記基準デューティ比に前記補間変化幅を積算し、前記制御手段が、前記積算手段によって求めた前記発光色毎のデューティ比で前記発光素子を発光させることを特徴とするものである。
【００１１】
請求項５に記載された発明は、発光部材を駆動するパルス電流又はパルス電圧のデューティ比を、輝度遷移期間を等分割した複数の単位期間のそれぞれで変化させることで該発光部材の輝度を制御する輝度制御方法であって、前記複数の単位期間のそれぞれにおける基準デューティ比と、補間分割数と、を記憶し、前記複数の単位期間のうち一の単位期間における基準デューティ比をその次の単位期間における基準デューティ比から減じた値を前記補間分割数で除して当該一の単位期間における補間変化幅を算出し、前記複数の単位期間のそれぞれにおいて、前記単位期間を前記補間分割数でさらに分割した補間期間が経過する毎に当該単位期間の前記基準デューティ比に前記補間変化幅を積算していくとともに、このデューティ比で前記発光部材を発光させることを特徴とする輝度制御方法である。
【発明の効果】
【００１２】
請求項１に記載された発明によれば、複数の単位期間のそれぞれにおいて補間期間が経過する毎に基準デューティ比に補間変化幅を積算していくことから、発光部材の輝度の変化幅を小さくして利用者に違和感を与えにくくすることができる。また、補間変化幅が、一の単位期間における基準デューティ比を次の単位期間における基準デューティ比から減じた値を補間分割数で除して算出されることから、補間変化幅を算出するために補間段階数と各単位期間における基準デューティ比とを記憶すればよく、記憶する情報量を抑制することができる。このとき、隣り合う単位期間における基準デューティ比の差分が一定でなくても補間変化幅を算出することができ、各単位期間の基準デューティ比を適宜に設定することにより、各単位期間における補間変化幅を適宜な値にすることができる。例えば、低輝度の単位期間においてその次の単位期間とのデューティ比の差分を小さくすれば、低輝度の単位期間における補間変化幅を小さくすることができ、利用者に違和感をさらに与えにくくすることができる。尚、ここでいう「差分」とは、絶対値を意味する。
【００１３】
請求項２に記載された発明によれば、複数の単位期間のそれぞれにおける基準デューティ比が段階的に増加又は減少していくことから、発光部材の輝度を段階的に増加又は減少させ、例えばフェードイン処理やフェードアウト処理を実行することができる。
【００１４】
請求項３に記載された発明によれば、一の単位期間における基準デューティ比とその次の単位期間における基準デューティ比との差分が、一の単位期間の基準デューティ比が小さいほど小さくなることから、低輝度の単位期間ほど補間変化幅を小さくして発光部材の輝度の変化幅を小さくすることができ、利用者に違和感をさらに与えにくくすることができる。
【００１５】
請求項４に記載された発明によれば、発光部材が互いに異なる発光色を有する複数の発光素子で構成されるとともに、各発光素子が積算手段によって求めた発光色毎のデューティ比で発光させられることから、各発光色の発光素子の輝度のバランスを適宜に調節して発光部材を適宜な発光色で発光させるとともに、利用者に違和感を与えにくいよう輝度を変化させることができる。
【００１６】
請求項５に記載された発明によれば、一の単位期間における基準デューティ比を次の単位期間における基準デューティ比から減じた値を補間段階数で除して補間変化幅を算出するとともに、各単位期間において基準デューティ比に補間変化幅を積算していき発光部材の輝度を変化させることから、前述のように記憶する情報量を抑制しつつ、利用者に違和感を与えにくいように発光素子の輝度を変化させることができる。
【図面の簡単な説明】
【００１７】
【図１】本発明の実施形態に係る輝度制御装置を示す構成図である。
【図２】図１の輝度制御装置が備えるマイクロコンピュータのＣＰＵによって実行されるフェードイン処理の一例を示すフローチャートである。
【図３】図２のフェードイン処理中にＣＰＵによって実行される補間処理の一例を示すフローチャートである。
【図４】図２のフェードイン処理におけるデューティ比の経時変化を示すグラフである。
【図５】図４のグラフの要部を拡大して示すグラフである。
【発明を実施するための形態】
【００１８】
以下、本発明の各実施形態を図面に基づいて説明する。本実施形態の輝度制御装置１は、図１に示すように、マイクロコンピュータ２（以下、μＣＯＭ２とする）と、μＣＯＭ２から信号を受信して発光部材としてのＬＥＤ４を点灯させる制御手段としてのＬＥＤドライバ３と、を備え、例えば図示しない車両に搭載され、ＬＥＤ４の点灯や消灯、点灯時の輝度を制御する。
【００１９】
μＣＯＭ２は、プログラムに従って各種の処理を行う中央処理ユニット２１（以下、ＣＰＵ２１とする）と、ＣＰＵ２１が実行する処理のプログラムなどを格納した読み出し専用のメモリであるＲＯＭ２２と、ＣＰＵ２１での各種の処理過程で利用するワークエリア及び各種データを格納するデータ格納エリアなどを有する読み出し書き込み自在のメモリであるＲＡＭ２３と、を備える。また、ＣＰＵ２１には、入力手段５が接続されている。
【００２０】
ＲＯＭ２２は、表１に示すフェードイン処理用のフェードテーブル、及び、フェードアウト処理用のフェードテーブルを記憶することでデューティ比記憶手段として機能するとともに、補間分割数Ｎｄを記憶することで分割数記憶手段として機能する。フェードイン処理において、複数の単位期間のそれぞれにおける基準デューティ比が段階的に増加していくように設定され、フェードアウト処理において、複数の単位期間のそれぞれにおける基準デューティ比が段階的に減少していくように設定されている。
【００２１】
【表１】
2016126868.tif 000003
【００２２】
本実施形態において、フェードイン処理が行われる輝度遷移期間の長さＴＷを０．５秒とし、各単位期間の長さＴを０．１秒としてＬＥＤ４の輝度を変化させるものとする。また、補間分割数Ｎｄを１０とし、単位期間Ｔを補間分割数Ｎｄで分割した補間期間ΔＴを０．０１秒とする。また、表２に示すように、基準デューティ比Ｄｎが小さいほど、次の単位期間の基準デューティ比Ｄｎ＋１との差分ΔＤｎが小さくなるように設定されている。さらに、基準デューティ比Ｄｎが小さいほど、基準デューティ比Ｄｎ＋１から基準デューティ比Ｄｎを減じた値を補間分割数Ｎｄで除した補間変化幅Ｄｎ’が小さくなるように設定されている。
【００２３】
【表２】
2016126868.tif 000004
【００２４】
ＬＥＤドライバ３は、図示しない電源に接続されてパルス幅変調制御によってＬＥＤ４を点灯させるように構成され、ＬＥＤ４を駆動するパルス電流又はパルス電圧のデューティ比を調節することでＬＥＤ４の輝度を制御可能に構成されている。ＬＥＤドライバ３は、μＣＯＭ２から受信した信号に応じたデューティ比でＬＥＤ４を駆動する。
【００２５】
ＬＥＤ４は、発光素子としての複数のＬＥＤ素子を有し、所定の発光色で発光可能に構成され、例えば車両の室内照明として用いられる。
【００２６】
入力手段５は、例えば車両ドアの開閉を検知する手段に接続され、車両ドアが開けられた際にオン信号をμＣＯＭ２に送信し、車両ドアが閉じられた際にオフ信号をμＣＯＭ２に送信する。尚、入力手段５は、車両ドアが開いている状態でオン信号を送信し続けるとともに、車両ドアが閉じられている状態において信号を送信しないように構成されていてもよく、車両における他の部位に接続されて適宜なタイミングでオン信号を送信するように構成されていればよい。
【００２７】
以下、ＬＥＤ４の輝度を制御する輝度制御方法として、μＣＯＭ２におけるフェードイン処理の一例について、図２のフローチャートを参照して説明する。尚、フェードアウト処理では、フェードアウト処理用のフェードテーブルを読み込めばよく、以下のフェードイン処理と同様の手順で実施される。
【００２８】
μＣＯＭ２のＣＰＵ２１は、車両ドアが開動作されて入力手段５からオン信号を受信すると、図２に示すフェードイン処理を開始する。尚、フェードアウト処理の場合、ＣＰＵ２１は、オフ信号を受信したり、オン信号を受信しなくなったりすることにより、処理を開始すればよい。
【００２９】
ＣＰＵ２１は、フェードイン処理を開始すると、その時点で第ｎ単位期間であることを示すｎの値を記憶するテーブル用カウンタ、及び、後述する補間変化幅の積算回数ｋを記憶する演算用カウンタの値をリセットする（Ｓ１１０）。即ち、テーブル用カウンタをｎ＝０とするとともに、演算用カウンタをｋ＝０とする。
【００３０】
次に、ＣＰＵ２１は、ＲＯＭ２２に記憶されたフェードイン処理用のフェードテーブルから、第ｎ単位期間の基準デューティ比Ｄｎ、及び、その次の第ｎ＋１単位期間の基準デューティ比Ｄｎ＋１を読み込む（Ｓ１２０）。
【００３１】
次に、ＣＰＵ２１は、図３に示す補間処理を実行する（Ｓ１３０）。ＣＰＵ２１は、補間処理を開始すると、まず当該補間処理への移行直前においてテーブル用カウンタの値ｎが変化したか否か（即ち、後述するステップＳ１６０を経由したか否か）を判定する（Ｓ２１０）。ＣＰＵ２１は、ｎが変化した場合（Ｓ２１０でＹ）、演算用カウンタの値をリセットしてｋ＝１とし（Ｓ２２０）、ｎが変化していない場合（Ｓ２１０でＮ）、演算用カウンタの値ｋを１増加させる（Ｓ２３０）。
【００３２】
次に、ＣＰＵ２１は、第ｎ＋１単位期間における基準デューティ比Ｄｎ＋１から第ｎ単位期間における基準デューティ比Ｄｎを減じた値を補間分割数Ｎｄで除して補間変化幅Ｄｎ’を算出する（Ｓ２４０）。
【００３３】
次に、ＣＰＵ２１は、第ｎ単位期間の基準デューティ比Ｄｎに対し、補間変化幅Ｄｎ’に演算用カウンタの値ｋを乗じた値を加算し、その時点でのデューティ比Ｄを求め（Ｓ２５０）、補間処理を終了する。第ｎ単位期間において、１回の補間処理が実行される毎にｋが１ずつ増加していくことから、デューティ比Ｄは１回の補間処理毎に補間変化幅Ｄｎ’だけ増加していき、即ち、基準デューティ比Ｄｎに補間変化幅Ｄｎ’が積算されていく。
【００３４】
補間処理を終了すると、ＣＰＵ２１は、再びフェードイン処理に戻り、Ｓ２５０で求めたデューティ比ＤでＬＥＤ４を点灯させるようにＬＥＤドライバ３に信号を送信する（Ｓ１４０）。尚、ＬＥＤドライバ３は、再びＣＰＵ２１から信号を受信するまでは、一定のデューティ比でＬＥＤ４の点灯を継続させる。また、ＣＰＵ２１は、タイマー機能を有し、ステップＳ１４０に到達する毎に補間期間ΔＴだけ間隔を開けてＬＥＤドライバ３に信号を送信するように、フェードイン処理における適宜なタイミングで待機する。
【００３５】
次に、ＣＰＵ２１は、演算用カウンタの値ｋが補間分割数Ｎｄに等しいか否かを判定する（Ｓ１５０）。演算用カウンタの値ｋが補間分割数Ｎｄに等しくない場合（Ｓ１５０でＮ）、ＣＰＵ２１は、第ｎ単位期間が継続していると判定し、再びステップＳ１３０に戻る。一方、演算用カウンタの値ｋが補間分割数Ｎｄに等しい場合（Ｓ１５０でＹ）、ＣＰＵ２１は、第ｎ単位期間が終了したと判定し、テーブル用カウンタの値ｎを１増加させる（Ｓ１６０）。
【００３６】
ステップＳ１６０に次いで、ＣＰＵ２１は、テーブル用カウンタの値ｎが最後の単位期間を示すＮｌ（本実施形態では５）に等しいか否かを判定する（Ｓ１７０）。
【００３７】
テーブル用カウンタの値ｎがＮｌに等しくない場合（Ｓ１７０でＮ）、ＣＰＵ２１は、再びステップＳ１２０に戻る。テーブル用カウンタの値ｎがＮｌに等しい場合（Ｓ１７０でＹ）、ＣＰＵ２１は、フェードイン処理を終了する。
【００３８】
図３のフローチャートにおけるステップＳ２４０の処理を実行するＣＰＵ２１が算出手段に相当し、Ｓ２５０の処理を実行するＣＰＵ２１が積算手段に相当する。
【００３９】
以上のようにフェードイン処理を行うことにより、ＬＥＤ４を駆動するためのデューティ比Ｄは、補間期間ΔＴが経過する毎に基準デューティ比Ｄｎに補間変化幅Ｄｎ’が積算された値となり、図４、５に実線で示すように経時変化する。即ち、各単位期間におけるデューティ比Ｄが補間変化幅Ｄｎ’ずつ大きくなっていくとともに、ｎが大きくなるほど補間変化幅Ｄｎ’も大きくなっていく。
【００４０】
このような本実施形態によれば、以下のような効果がある。即ち、フェードイン処理及びフェードアウト処理においてＬＥＤ４の輝度を変化させる際、デューティ比Ｄが補間変化幅Ｄｎ’ずつ変化することから、ＬＥＤ４の輝度の変化幅を小さくして利用者に違和感を与えにくくすることができる。このとき、補間変化幅Ｄｎ’を算出するために補間段階数Ｎｄと各単位期間における基準デューティ比Ｄｎとを記憶すればよく、情報量を抑制することができ、隣り合う単位期間における基準デューティ比Ｄｎの差分ΔＤｎが一定でなくても補間変化幅Ｄｎ’を算出することができる。また、ＣＰＵ２１は、減算、除算、及び、加算の簡単な計算によって補間変化幅Ｄｎ’を算出することができる。
【００４１】
さらに、基準デューティ比Ｄｎが小さいほど、補間変化幅Ｄｎ’も小さくなることから、ＬＥＤ４の輝度が低い単位期間においてＬＥＤ４の輝度の変化率が大きくなってしまうことを抑制し、さらに利用者に違和感を与えにくくすることができる。
【００４２】
なお、本発明は、前記実施形態に限定されるものではなく、本発明の目的が達成できる他の構成等を含み、以下に示すような変形等も本発明に含まれる。
【００４３】
例えば、前記実施形態では、輝度制御装置１が所定の発光色で発光可能な発光部材としてのＬＥＤ４を制御するものとしたが、発光部材は、互いに異なる発光色を有する複数の発光素子を有することにより、全体の発光色が調節可能に構成されていてもよく、例えば、ＲＧＢ３原色のＬＥＤ素子を有するＬＥＤであってもよい。このとき、ＲＯＭが３原色の発光色毎にフェードテーブルを記憶するとともに、ＣＰＵが発光色毎に補間変化幅を算出して各発光色の基準デューティ比にそれぞれ積算していき、発光色毎に独立にデューティ比を求め、発光色毎のデューティ比で各ＬＥＤ素子を発光させればよい。このような構成によれば、各発光色のＬＥＤ素子の輝度のバランスを調節してＬＥＤ全体を適宜な発光色で発光させるとともに、利用者に違和感を与えにくいよう輝度を変化させることができる。
【００４４】
また、前記実施形態では、輝度制御方法として輝度がフェードイン処理及びフェードアウト処理を例示したが、輝度制御方法における基準デューティ比の変化は適宜に設定されていればよく、例えば、発光部材が発光している状態から輝度を高くするようにデューティ比を変化させてもよいし、消灯させない程度に低くするようにデューティ比を変化させてもよい。また、例えば輝度を一旦高くした後に低くするように、輝度が単調増加又は単調減少しないようにデューティ比が変化してもよい。
【００４５】
また、前記実施形態では、輝度制御装置１が車両に設けられるものとしたが、輝度制御装置は、適宜な発光部材の輝度を制御するように設けられればよく、例えば、車両のメータパネル等の表示部に設けられた発光部材の輝度を制御してもよいし、家屋の室内照明として用いられる発光部材の輝度を制御してもよい。また、発光部材は、ＬＥＤ素子に限らず例えば有機ＥＬ素子を有していてもよく、デューティ比を制御することによって輝度が制御されるものであればよい。
【００４６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４７】
１          輝度制御装置
３          ＬＥＤドライバ（制御手段）
４          ＬＥＤ（発光部材）
２１        ＣＰＵ（算出手段、積算手段）
２２        ＲＯＭ（デューティ比記憶手段、分割数記憶手段）
【図１】
2016126868.tif 000005
【図２】
2016126868.tif 000006
【図３】
2016126868.tif 000007
【図４】
2016126868.tif 000008
【図５】
2016126868.tif 000009